(57)【要約】【課題】腰を屈めずにリモコンを設置部に対し着脱することができ、また支柱や基台に十分なスペースを確保できる扇風機を提供する。【解決手段】本発明の扇風機は、電動機１５を有する頭部８と、電動機１５により回転駆動され、送風を行う軸流ファン９と、遠隔操作可能なリモコン２と、を備えており、このリモコン２を設置するための設置部としての開口部２１を、扇風機本体１の上部に位置する頭部８に設ける。前記開口部２１を支柱５や基台４にではなく、前記頭部８に設けることで、ユーザーはわざわざ腰を屈めずに、前記リモコン２を開口部２１に対し自然な姿勢で着脱することが可能になる。また、前記開口部２１が支柱５や基台４に存在しない分、これらの支柱５や基台４に、操作体１４や表示体等を配置するための十分な配置スペースを確保できる。【選択図】図３
2014185621.tif 000002
【特許請求の範囲】
【請求項１】
電動機が内蔵される頭部と、
前記電動機により回転駆動され、送風を行うファンと、
遠隔操作可能なリモコンと、を備えた扇風機において、
前記リモコンを設置する設置部を、前記頭部に設けたことを特徴とする扇風機。
【請求項２】
前記設置部に、前記リモコンを前記頭部に保持する保持手段を設けたことを特徴とする請求項１記載の扇風機。
【請求項３】
前記リモコンが、操作面と非操作面とを有すると共に、
前記非操作面が露出して前記設置部に設置されることを特徴とする請求項１記載の扇風機。
【発明の詳細な説明】
【技術分野】
【０００１】
本発明は、遠隔操作が可能なリモコンを搭載した扇風機に関するものである。
【背景技術】
【０００２】
従来、この種の扇風機として、例えば特許文献１には、基台に立設する支柱よりも上方にファンモータとしての頭部を取付け、支柱の前面にリモコンを保持する保持手段を設けたものが開示されている。また、頭部は電動機を内蔵し、その電動機によりファンを回転駆動して、送風を行う構成となっている。
【先行技術文献】
【特許文献】
【０００３】
【特許文献１】特開２００７−１３８７６３号公報
【発明の概要】
【発明が解決しようとする課題】
【０００４】
上記扇風機では、ファンや頭部よりも下方に保持手段が位置しているため、ユーザーは腰を屈めないと、リモコンを保持手段に保持させたり保持手段から取り外したりすることができない。これは、リモコンの保持手段を支柱の前面にではなく、基台の上面に設けた場合でも同じことがいえる。更に、基台や支柱には各種の操作体や表示体等が配設されるため、基台や支柱にリモコンの保持手段を設けると、操作体や表示体などを配置するスペースが十分確保できない問題も発生する。
【０００５】
本発明は以上の問題点を解決し、腰を屈めずにリモコンを設置部に対し着脱することができ、また支柱や基台に十分なスペースを確保できる扇風機を提供することを目的とする。
【課題を解決するための手段】
【０００６】
本発明の請求項１に記載の扇風機は、電動機が内蔵される頭部と、前記電動機により回転駆動され、送風を行うファンと、遠隔操作可能なリモコンと、を備えた扇風機において、前記リモコンを設置する設置部を、前記頭部に設けたものである。
【０００７】
また、本発明の請求項２に記載の扇風機は、請求項１において、前記設置部に、前記リモコンを前記頭部に保持する保持手段を設けたものである。
【０００８】
また、本発明の請求項３に記載の扇風機は、請求項１または２において、前記リモコンが、操作面と非操作面とを有すると共に、前記非操作面が露出して前記設置部に設置されるものである。
【発明の効果】
【０００９】
本発明の請求項１に記載の扇風機は、以上のように構成することにより、リモコンの設置部を支柱や基台にではなく、電動機が内蔵される頭部に設けることで、ユーザーが腰をわざわざ屈めずに、リモコンを設置部に対し自然な姿勢で着脱することが可能になる。また、リモコンの設置部が支柱や基台に存在しない分、それらの支柱や基台に、操作体や表示体などを配置するための十分なスペースを確保することができる。
【００１０】
なお、前記設置部に、前記リモコンを前記頭部に保持する保持手段を設けたことで、リモコンを設置部に設置した場合に、保持手段によりリモコンが頭部に保持されるので、例えば扇風機を持ち上げたり、揺動させたりしたときに、リモコンが設置部から脱落する虞を回避できる。
【００１１】
また、前記リモコンが、操作面と非操作面とを有すると共に、前記非操作面が露出して前記設置部に設置されることで、リモコンの設置時に、操作面が外観に表れないようにして、頭部とリモコンの一体感を持たせることができるばかりでなく、可動部分を有するリモコンの操作面を保護することができる。
【図面の簡単な説明】
【００１２】
【図１】本発明の第１実施例を示す扇風機の全体斜視図である。
【図２】同、図１とは別な方向から見た扇風機の全体斜視図である。
【図３】同、要部斜視図である。
【図４】同、リモコンの平面図である。
【図５】同、リモコンの正面図である。
【図６】本発明の第２実施例を示す扇風機の全体斜視図である。
【図７】同、扇風機の要部斜視図である。
【図８】同、リモコンの斜視図である。
【図９】同、リモコンの断面図である。
【図１０】同、図８とは別な方向から見たリモコンの斜視図である。
【図１１】本発明の第３実施例を示す、リモコンを設置した状態の扇風機の全体斜視図である。
【図１２】同、リモコンを取り外した状態の扇風機の全体斜視図である。
【発明を実施するための最良の形態】
【００１３】
本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００１４】
図１乃至図５は、本発明の第１実施例における扇風機を示している。扇風機の全体構成を、図１及び図２に基づき説明する。１は送風機能を有する扇風機本体、２は扇風機本体１に着脱可能に設けられる遠隔操作体としてのリモコンである。これらの扇風機本体１とリモコン２により、本実施例の扇風機が構成される。扇風機本体１は、床面等に載置される平面視で円板状の基台４と、この基台４の略中央部から上方に向かって設けられる支柱５と、この支柱５に上下動自在に支持されるスライドパイプ６と、このスライドパイプ６の上端に俯仰自在に支持される回転継手７と、この回転継手７に対して左右方向に回動可能に支持される頭部８と、この頭部８の前側に設けられる回転自在な軸流ファン９と、この軸流ファン９を囲繞する前ガード１０及び後ガード１１とを備えて構成される。なお、変形例として、前記スライドパイプ６を無くして、前記支柱５の上端に回転継手７を連結する構成としてもよい。
【００１５】
前記扇風機本体１の基台４には、その上面前側に回転ダイヤルや押釦キー等の操作体１４が設けられると共に、前記基台４の内部には、前記操作体１４からの操作信号を受けて、電動機１５の動作を制御する制御基板１６が設けられる。なお、本実施例では図示しないが、基台４や支柱５に、扇風機本体１の運転状態を視認させる表示体や、扇風機本体１の周辺温度を検知する検知体等を設けてもよい。
【００１６】
前記頭部８は、樹脂製で略円筒形状のケース１７により、その外郭が形成される。そして、このケース１７内には、前記軸流ファン９の回転駆動源となる前記電動機１５が収納される。また、前記ケース１７の上部前側寄りには、扇風機を持ち運ぶために、コ字状のハンドル１８が取付け固定される。前記軸流ファン９は、前記ケース１７の前側から突出する前記電動機１５の軸（図示せず）に着脱可能に装着される。そして、前記軸流ファン９は、前記軸を中心として、前記電動機１５により回転駆動される。また、前記後ガード１１は、前記頭部８の前面に着脱可能に装着される。更に、前記前ガード１０は、前記後ガード１１の開口した前面に着脱可能に装着される。なお、前記前ガード１０及び後ガード１１は、前記軸流ファン９の回転に伴う扇風機本体１の前方への風の流れを妨げないように、多数の開口を有して形成される。
【００１７】
前記軸流ファン９による送風方向とは反対側となる前記頭部８の反送風側、即ち前記ケース１７の後部には、前記リモコン２を設置するための設置部として、凹状の開口部２１が設けられる。ここで、前記リモコン２とその収納構造について、図３乃至図５を参照しながら詳しく説明する。前記リモコン２は、その表面２Ａに複数の押釦キーからなる操作体２３を有する。また、この操作体２３の前側には、凹部２４が形成される。また、前記リモコン２の表面２Ａは略平面状であるのに対し、前記リモコン２の裏面２Ｂは、前記頭部８の外周面形状に合せて湾曲状に形成される。そして、前記リモコン２の前面２Ｃ側には、前記操作体２３の操作による信号を前記扇風機本体１に向けて無線で送出するために、発光素子等を含む発光部２５が配設される。なお、前記リモコン２の表面２Ａは、その中央部２Ｄに対し、外周部２Ｅが僅かに突出している。そして、前記中央部２Ｄに前記操作体２３が設けられる。また、前記外周部２Ｅの前記中央部２Ｄに対する突出量は、前記操作体２３のボタンの高さよりもやや大きい。
【００１８】
一方、前記開口部２１は有底状で、前記頭部８の後方から前記リモコン２をスライドして設置できるように、前方および側方に壁面を形成する一方で、後方及び上方を開口した形状を有する。そして、前記開口部２１の底面前側には、前記リモコン２に形成された前記凹部２４に係合可能な突起２７が設けられている。この突起２７は、前記リモコン２を前記頭部８に保持するための保持手段として機能する。また、前記頭部８の上方から指を差し入れて、前記開口部２１に設置されたリモコン２の前面２Ｃに、その指を掛けることができるように、前記開口部２１の前方上部には、Ｕ字状の切欠き２８が形成される。なお、前記リモコン２の凹部２４に代えて凸部を形成する一方で、この凸部に係合可能な凹部を、保持手段として前記突起２７の代わりに設けてもよい。そして、前記リモコン２を前記開口部２１に設置した状態では、扇風機としての意匠性を高めるために、前記リモコン２の裏面２Ｂと前記頭部８の外周面が、段差のない面一状に形成される。
【００１９】
前記支柱５の上部前方には、前記リモコン２の発光部２５からの無線操作信号を受信する受光部２９が配設される。この受光部２９は、前述の制御基板１６と電気的に接続されている。そして、前記リモコン２からの無線操作信号を前記受光部２９で受信すると、前記制御基板１６により、前記電動機１５の動作を制御する構成となっている。なお、前記受光部２９は、本実施例のように前記支柱５にではなく、前記基台４に設けてもよい。
【００２０】
次に、本実施例の扇風機について、その作用を説明する。図１や図２に示すように、前記リモコン２を前記頭部８の開口部２１に設置した状態では、前記リモコン２の表面２Ａが前記開口部２１の底面に対向して、前記リモコン２の操作体２３を操作することはできないが、前記基台４に設けた別の操作体１４を操作して、前記電動機１５ひいては前記軸流ファン９の運転を制御することができる。この場合、前記電動機１５によって前記軸流ファン９が回転すると、前記電動機１５の軸に沿って、前記軸流ファン９の後方から前方に向けて送風が行われる。
【００２１】
一方、前記扇風機本体１から前記リモコン２を取り外して、このリモコン２により前記軸流ファン９の運転を制御する場合は、前記頭部８に設けた切欠き２８に指を差し入れ、その指を前記リモコン２の前面２Ｃ側に掛けて、後方に移動させることで、前記リモコン２に設けた凹部２４と前記開口部２１に設けた突起２７との係合を解除する。このように、前記リモコン２と頭部８との係合が解除されると、この頭部８の後方へ向けて、前記リモコン２を自由にスライド移動させることが可能になる。そして、図３に示すように、前記リモコン２がスライド移動して前記頭部８から完全に離脱すると、前記リモコン２の表面２Ａが露出する。そして、この表面２Ａに設けられた前記操作体２３を操作すれば、前記リモコン２の発光部２５から送出される無線操作信号が、前記扇風機本体１の受光部２９に到達する範囲内で、前記電動機１５、ひいては前記軸流ファン９の運転を遠隔制御することができる。
【００２２】
前記リモコン２を前記頭部８の開口部２１に再び設置する場合は、前記リモコン２の裏面２Ｂを上に向けて、前記開口部２１の略コ字状に切り欠かれた後面に、前記リモコン２の前面２Ｃを向かい合わせ、そこから前記頭部８の前方に向けて、前記開口部２１に沿って前記リモコン２をスライド移動させる。そして、前記開口部２１の突起２７に前記リモコン２の凹部２４が嵌り込む位置にまで前記リモコン２をスライド移動させると、そこから更に前記リモコン２を前記頭部８の前方に移動させることが不可能になる。この状態で、前記開口部２１に前記リモコン２が保持される。このリモコン２の収納状態では、このリモコン２の非操作面である裏面２Ｂが外方に露出する一方、前記リモコン２の操作面である表面２Ａは、開口部２１の底面に対向して外方から露出しなくなり、操作体２３を有する前記リモコン２の表面２Ａを保護することができる。なお、前述した通り、前記リモコン２の表面２Ａの中央部２Ｄに対し、外周部２Ｅが僅かに突出し、凹状の前記中央部２Ｄに前記操作体２３が設けられ、前記外周部２Ｅの前記中央部２Ｄに対する突出量を前記操作体２３のボタンの高さよりもやや大きくしたことで、前記開口部２１に沿って前記リモコン２をスライド移動させる際に、前記操作体２３のボタンが前記凹部２１の底面に接触しないようにすることができる。
【００２３】
本実施例では、前記支柱５の上部に位置する前記扇風機本体１の頭部８に、前記リモコン２を設置するための開口部２１が設けられる。従って、ユーザーはわざわざ腰を屈めることなく、上述した手順で前記扇風機本体１から前記リモコン２を自然な姿勢で着脱することができる。また、前記軸流ファン９の回転中は、この軸流ファン９の前方から送風が行われるが、この送風方向とは反対側にある前記頭部８の後方に前記リモコン２を設置することで、風の吹き出し側で前記リモコン２が風を乱さないので、前記軸流ファン９による風に与える影響を最小限にすることが可能になる。
【００２４】
前記扇風機本体１は、前記ハンドル１８を手で掴んで持ち上げることで、任意の場所に移動させることができる。特に、本実施例では、前記開口部２１に前記リモコン２を設置した状態で、前記ハンドル１８を利用して前記扇風機本体１を持ち上げたり、左右に揺動させたりしても、前記リモコン２の凹部２４に前記開口部２１の突起２７が嵌り込むことで、前記頭部８に前記リモコン２が保持されるため、前記開口部２１から前記リモコン２が脱落する虞を回避できる。
【００２５】
以上のように、本実施例における扇風機は、請求項１に対応して、電動機１５を有する頭部８と、電動機１５により回転駆動され、送風を行う軸流ファン９と、遠隔操作可能なリモコン２と、を備えた扇風機において、前記リモコン２を設置するための設置部としての開口部２１を、前記扇風機本体１の上部に位置する頭部８に設ける。
【００２６】
このように、前記リモコン２の設置部である開口部２１を前記支柱５や基台４にではなく、電動機１５を有する前記頭部８に設けることで、ユーザーはわざわざ腰を屈めずに、前記リモコン２を前記開口部２１に対し自然な姿勢で着脱することが可能になる。また、前記開口部２１が前記支柱５や基台４に存在しない分、これらの支柱５や基台４に、操作体１４や表示体等を配置するための十分な配置スペースを確保することができる。
【００２７】
また、請求項２に対応して、本実施例の前記開口部２１は、前記リモコン２を前記頭部８に保持するための保持手段として、突起２７を設ける。
【００２８】
このように、前記リモコン２を前記開口部２１に設置した場合に、前記開口部２１に設けた前記突起２７により前記リモコン２が前記頭部８に保持されるので、例えば扇風機を持ち上げたり、揺動させたりしたときに、前記リモコン２が前記開口部２１から脱落する虞を回避できる。
【００２９】
また、請求項３に対応して、本実施例の前記リモコン２は、操作体２３を有する操作面である表面２Ａと、前記操作体２３を有しない非操作面である裏面２Ｂとを有し、前記リモコン２の裏面２Ｂが露出して前記開口部２１に収納される。
【００３０】
このように、前記リモコン２を前記開口部２１に設置した場合に、前記リモコン２の裏面２Ｂを露出させることで、前記操作面２３が外観に表れないようにして、前記頭部８とリモコン２の一体感を持たせることができるばかりでなく、前記操作体２３等の可動部分を有する前記リモコン２の表面２Ａを保護することができる。
【００３１】
また、本実施例における設置部としての開口部２１は、前記軸流ファン９による送風方向に対して反送風側にある前記頭部８の後部に設けられる。
【００３２】
このように、前記軸流ファン９の回転に伴う送風方向とは反対の反送風側に、前記リモコン２を設置することで、風の吹き出し側で前記リモコン２が風を乱さないので、前記軸流ファン９による風に与える影響を最小限にすることができる。
【実施例２】
【００３３】
図６乃至図１０は、本発明の第２実施例における扇風機を示している。なお、前記第１実施例と同一部分には同一符号を付し、その詳細な説明を省略する。
【００３４】
本実施例で注目すべきは、頭部８の後面に押動操作可能なロック解除ボタン３１を設けている、ということである。このロック解除ボタン３１は、開口部２１に設置されたリモコン２と前記頭部８とのロック状態を解除するものである。そして、前記ロック解除ボタン３１を押すと、前記開口部２１に設けた図示しない保持手段が、前記リモコン２の爪部３２との係合を解除する方向に移動する。これによって、前記リモコン２をスライドさせながら前記開口部２１から楽に取り外すことが可能になる。なお、前記頭部８の内部に付勢手段を設け、前記保持手段と爪部３２の係合が解除された際に、前記リモコン２を後方に移動させるようにしてもよい。また、前記ロック解除ボタン３１は、前記頭部８の後面以外の部位に設けてもよい。更に、前記ロック解除ボタン３１は、本実施例のような押ボタンの代わりに、例えばスライド操作部等で構成しても構わない。その他の構成や、作用効果については、第１実施例で説明した通りである。
【実施例３】
【００３５】
図１１及び図１２は、本発明の第３実施例における扇風機を示している。なお、前記第１実施例や第２実施例と同一部分には同一符号を付し、その詳細な説明を省略する。
【００３６】
本実施例では、操作体２３を有するリモコン２の表面２Ａが、頭部８の外周面形状に合せて湾曲状に形成されるのに対し、前記操作体２３を有しない前記リモコン２の裏面２Ｂが略平面状に形成され、前記リモコン２を前記頭部８の開口部２１に収納したときに、前記リモコンの表面２Ａが前記頭部８の外周面と段差のない面一状に形成され、共に外方に露出する構成となっている。また、前記開口部２１に前記リモコン２を設置した状態で、このリモコン２の発光部２５に対向するように、前記開口部２１に受光部２９が設けられる。この場合、前記リモコン２を前記頭部８の開口部２１に設置した状態でも、前記リモコン２の操作体２３を押動操作することができ、電動機１５、ひいては軸流ファン９の運転を制御できる。その他の構成や、作用効果については、第１実施例で説明した通りである。
【００３７】
なお、本発明は以上の各実施例に限定されるものではなく、発明の要旨の範囲内で種々の変形実施が可能である。例えば、リモコン２の設置部は、上記各実施例のような頭部８の上部にではなく、頭部８の側部や後部に設けてもよい。
【符号の説明】
【００３８】
２  リモコン
２Ａ  表面（操作面）
２Ｂ  裏面（非操作面）
８  頭部
９  軸流ファン（ファン）
１５  電動機
２１  開口部（設置部）
２７  突起（保持手段）
【図１】
2014185621.tif 000003
【図２】
2014185621.tif 000004
【図３】
2014185621.tif 000005
【図４】
2014185621.tif 000006
【図５】
2014185621.tif 000007
【図６】
2014185621.tif 000008
【図７】
2014185621.tif 000009
【図８】
2014185621.tif 000010
【図９】
2014185621.tif 000011
【図１０】
2014185621.tif 000012
【図１１】
2014185621.tif 000013
【図１２】
2014185621.tif 000014